【事件の表示】
　特許第３０７０１８１号「液晶表示装置」の請求項１ないし３に係る特許に対する特許異議の申立てについて、次のとおり決定する。
【結　論】
　訂正を認める。
　特許第３０７０１８１号の請求項１ないし３に係る特許を維持する。
【理　由】
１．手続の経緯
　本件特許第3070181号の請求項1〜3に係る発明は、平成3年8月30日に特許出願（国内優先権主張平成2年9月10日）され、平成12年5月26日に設定登録がなされ、特許異議の申立がなされ、取消理由通知がなされ、その指定期間である平成13年6月18日に訂正請求がなされたものである。
２．訂正の適否について
　ア．訂正の内容
　訂正事項ａ
　特許請求の範囲の記載を
「【請求項１】　一対の基板間に充填された液晶材料の液晶分子が、光の入射側の基板から見て左回転方向にほぼ９０°ツイストして配向された液晶層を形成して前記一対の基板間に挟まれてなるツイステッドネマティック型の液晶セルと、この液晶セルの入射光側に配置され、かつその透過軸が前記液晶セルの入射光側の配向処理方向と平行な方向に向いた第１偏光板と、この第１偏光板と前記液晶セルの間に配置された第１の位相板と、前記液晶セルの出射光側に配置され、かつその透過軸が前記第１偏光板の透過軸とほぼ直交する第２偏光板と、この第２偏光板と前記液晶セルとの間に配置された第２位相板とを具備し、
　前記第１位相板は、その遅相軸が隣接する前記第１偏光板の透過軸の方向とほぼ一致する方向に配置され、前記第２位相板は、その遅相軸が隣接する前記第２偏光板の透過軸の方向とほぼ直交する方向に配置されていることを特徴とする液晶表示装置。
　【請求項２】　前記第１位相板および第２位相板のΔｎｄの値は、それぞれ前記液晶セルのΔｎｄの値に０．８５〜０．９５を乗じた値の範囲であることを特徴とする請求項１に記載の液晶表示装置。
　【請求項３】　前記液晶セルのΔｎｄの値は、ほほ３５０ｎｍ乃至４００ｎｍであることを特徴とする請求項１に記載の液晶表示装置。」　と訂正する。
　訂正事項ｂ
　段落番号【０００６】の記載を、
「【０００６】
　【課題を解決するための手段】
　この発明は、上記目的を達成するため、一対の基板間に充填された液晶材料の液晶分子が、光の入射側の基板から見て左回転方向にほほ９０°ツイストして配向された液晶層を形成して前記一対の基板間に挟まれてなるツイステッドネマティック型の液晶セルと、この液晶セルの入射光側に配置され、かつその透過軸が前記液晶セルの入射光側の配向処理方向と平行な方向に向いた第１偏光板と、この第１偏光板と前記液晶セルの間に配置された第１の位相板と、前記液晶セルの出射光側に配置され、かつその透過軸が前記第１偏光板の透過軸とほぼ直交する第２偏光板と、この第２偏光板と前記液晶セルとの間に配置された第２位相板とを具備し、
　前記第１位相板は、その遅相軸が隣接する前記第１偏光板の透過軸の方向とほぼ一致する方向に配置され、前記第２位相板は、その遅相軸が隣接する前記第２偏光板の透過軸の方向とほぼ直交する方向に配置されていることを特徴とする。」と訂正する。
　イ．訂正の目的の適否、新規事項の追加及び特許請求の範囲の拡張又は変更の存否
　上記訂正事項ａで挿入された「光の入射側の基板から見て左回転方向に」は、本件特許明細書段落【００１１】に記載された事項から直接的かつ一義的に導き出される事項であって、特許請求の範囲を減縮するものである。
　また、上記訂正事項ａで挿入された「前記第２位相板は、その遅相軸が隣接する前記第２偏光板の透過軸の方向とほほ直交する方向に配置され」は、本件特許明細書段落【００１２】及び図２に記載された事項から直接的かつ一義的に導き出される事項であって、特許請求の範囲を減縮するものである。
　そして、上記訂正事項ｂは、訂正事項ａに対応して本件特許明細書の詳細な説明を訂正するものであるから、明りょうでない記載を釈明するものである。
　したがって、上記訂正事項ａ及びｂは、本件特許明細書の記載の事項の範囲内で特許請求の範囲を減縮すると共に、明りょうな記載を釈明するものであり、新規事項を追加するものでなく、特許請求の範囲を実質的に拡張又は変更するものでもない。
　ウ．むすび
　以上のとおり、上記訂正請求は、特許法第120条の4第2項及び同法同条第3項で準用する平成6年法律第116号における改正前の特許法第126条第1項ただし書き及び同法同条第２項の規定に適合するので、当該訂正を認める。
３．特許異議申立について
　ア．本件発明
　訂正後の特許請求の範囲の請求項1〜3に係る発明（以下、本件発明1〜3という。）は次のとおりのものである。
「【請求項１】　一対の基板間に充填された液晶材料の液晶分子が、光の入射側の基板から見て左回転方向にほぼ９０°ツイストして配向された液晶層を形成して前記一対の基板間に挟まれてなるツイステッドネマティック型の液晶セルと、この液晶セルの入射光側に配置され、かつその透過軸が前記液晶セルの入射光側の配向処理方向と平行な方向に向いた第１偏光板と、この第１偏光板と前記液晶セルの間に配置された第１の位相板と、前記液晶セルの出射光側に配置され、かつその透過軸が前記第１偏光板の透過軸とほほ直交する第２偏光板と、この第２偏光板と前記液晶セルとの間に配置された第２位相板とを具備し、
　前記第１位相板は、その遅相軸が隣接する前記第１偏光板の透過軸の方向とほぼ一致する方向に配置され、前記第２位相板は、その遅相軸が隣接する前記第２偏光板の透過軸の方向とほほ直交する方向に配置されていることを特徴とする液晶表示装置。
　【請求項２】　前記第１位相板および第２位相板のΔｎｄの値は、それぞれ前記液晶セルのΔｎｄの値に０．８５〜０．９５を乗じた値の範囲であることを特徴とする請求項１に記載の液晶表示装置。
　【請求項３】　前記液晶セルのΔｎｄの値は、ほほ３５０ｎｍ乃至４００ｎｍであることを特徴とする請求項１に記載の液晶表示装置。」
　イ．異議申立の理由の概要
　異議申立人 花輪 香は、証拠として甲第1号証〜甲第4号証を提出し、本件発明1〜3は、特許法第29条第1項第3号に該当して、若しくは、同法同条第2項の規定に違反して特許されたものであるから、それらの特許は取り消されるべき旨主張している。
　ウ．証拠に記載の発明
　甲第１号証（実願昭５８−１５６６７号（実開昭５９−１２１６８２号）のマイクロフィルム）には、以下の事項が記載されている。
「第１図は、・・・セルの両側に−軸延伸プラスチックフィルムを設けた場合を示す。上部基板１および下部基板２が所定の間隔を置かれて保持されている。それらの間には、液晶６がシール材５で封入されている。上部基板１および下部基板２のそれぞれ外側には、例えば一軸延伸ポリエステルフィルムのような−軸延伸プラスチックフィルム３が設けられている。さらにその外側には、偏光板４が位置している。」（第３頁第９〜１８行）
「２枚の偏光板の間に、２枚の一軸延伸プラスチックフィルム３を介して上部基板１および下部基板２が配置され、これら基板１，２の間にシール材５で液晶６が封入された液晶セルを有する液晶表示装置」（第１図参照。）
「第２図は、一軸延伸プラスチックフィルム３の延伸軸方向１０（（注）９の誤記）と偏光板４の吸収軸方向８と基板内面に設けられた配向膜７の液晶分子配向軸方向１０との関係を示す図である。第２図（ａ）は、液晶分子配向軸方向１０と一軸延伸プラスチックフィルム３の延伸軸方向９とを平行に設定した場合であり、（ｂ）および（ｂ’）は、それらを直交するように設定した場合であり、それぞれポジ表示型液晶表示装置の例である。」（第４頁第７〜１５行）
「一軸延伸プラスチックフィルム３として一軸延伸透明ポリエステルフィルムを使用し、ガラス基板により構成されたＴＮ（ネマスチック液晶を用いたツイスト型）液晶表示装置における実験とその測定結果を述べる。」（第４頁第１６〜２０行）
「液晶分子配向軸方向１０がほぼ９０°異なっている２枚の配向膜７、７」、「偏光板４は、その吸収軸方向８がその偏光板４と対向する側の配向膜７の液晶分子配向軸方向１０と平行に配設」、「２枚の偏光板４、４の吸収軸方向８，８はほぼ直交」そして「２枚の−軸延伸プラスチックフィルム３、３の延伸軸方向１０、１０は、隣接する偏光板４、４の吸収軸８、８方向とほぼ直交」（第２図（ｂ）参照。）
　甲第２号証（特開平２−１２５２２４号公報）には以下の事項が記載されている。
「２枚の偏光板１，２の間に液晶セル５を配置し、この液晶セル５と偏光板１，２との間に、それぞれ位相フィルム８，９を配置した電気光学素子」、「２枚の偏光板１，２は、その透過軸３，４がその偏光板１，２と対向する側のセル５の配向方向と直交もしくは平行に配設されている」そして「２枚の位相フィルム８，９の延伸軸１０，１１は、隣接する偏光板１，２の透過軸３，４と直交又は平行に配設されている」（第８図参照。）
「９０°ＴＮセルを挟持したノーマリブラックの表示形式の電気光学素子である。ＴＮセルの配向方向は下面で偏光板２の透過軸４と直交した矢印の方向６に配置し、上面でこれと直交する方向７に配置している。」（第３頁右下欄第１５〜１９行）
「第３の実施例に対応したノーマリホワイトの表示形式のＴＮセル構成も前述と同様の効果があった。」（第５頁左上欄第８〜１０行実施例４参照。）
「透過軸３，４が直交する２枚の偏光板１，２を有する電気光学素子」（第９図参照。）
　甲第３号証（特開昭５９−１１６７２５号公報）には以下の事項が記載されている。
「配向処理された２枚の電極基板をそれぞれのラビング方向、即ち配向方向が例えば互いにほぼ９０度に交差するように対向させ、２枚の電極基板をシール剤により接着し、その間隙に正の誘電異方性をもったネマチック液晶を封入すると、液晶分子はその電極基板間でほぼ９０度回転したらせん状構造の分子配列をする。このようにして構成された液晶セルの上下には偏光板が設けられる」（第１頁右欄第１〜１０行）
「偏光膜２が２枚の透明で光学的に一軸性を示す一軸延伸基板３によってはさまれた構造を持っている。なお２枚の一軸延伸基板３のうち、液晶セルに接しない１枚は透明で光学的に等方的な基板であってもよい。また偏光膜２の吸収軸と一軸延伸基板３の延伸軸はほぼ平行であることが干渉色の発生防止及び時分割特性の向上の点で望ましい。」（第２頁左上欄第９〜１６行）
「第２図に示した偏光板は、干渉色の発生防止の点からその吸収軸と、偏光板が接する液晶セルの電極基板のラビング方向、即ち液晶の配向方向とほぼ平行になるように構成することが望ましい。」（第２頁右上欄下から１０〜７行）
　甲第４号証（特開昭６３−２７９２２９号公報）には以下の事項が記載されている。
「２枚の偏光膜７Ａ，７Ｂの間に、２枚の基板１Ａ，１Ｂが配置され、これら基板１Ａ，１Ｂ間に液晶分子がほほ９０°ツイストして配向されている液晶層６が配置されている」（第２頁右下欄第７〜１７行）
「偏光膜の偏光軸は、基板１Ａ，１Ｂの配向方向と平行または直交するように配置される」（第３頁左上欄第３〜９行）
「偏光膜の偏光軸は相互にほぼ９０°になるように配置される」（第１図参照。）
「基板１Ａと偏光膜７Ａの間に、最も小さく屈折率を示す方向を、基板垂直方向に向けた光学素子８を配置する。」（第２頁右下欄第２０行〜第３頁左上欄第２行）
「光学素子として、一軸性の光学異方性を示すものが望ましい」（第３頁右上欄第８〜９行）
「光学素子の配置としては基板垂直方向以外の２つの光学弾性軸が、偏光膜の偏光軸とほぼ平行にすることが望ましい」（第１３〜１５行）
「２枚の偏光膜と基板１Ａ，１Ｂとの間に光学素子が配置されている」（第４頁左上欄第１７〜１９行及び第４図参照。）
「光学素子の光学異方性Δｎ0と厚みｄ0の種が、液晶材料の光学異方性Δｎ1と液晶層ｄ1の厚みの積Δｎ1・ｄ1に対して、その比が０．５から１．５の範囲にある（第３頁右上欄第２０行〜左下欄第５行）
「液晶の光学異万性と厚みの積Δｎ1・ｄ1は０．３μｍから０．７μｍの範囲にあることが望ましい。」（第３頁左下欄第６〜８行）
　エ．当審の対比・判断
　本件発明1〜3の「一対の基板間に充填された液晶材料の液晶分子が、光の入射側の基板から見て左回転方向にほぼ９０°ツイストして配向された液晶層を形成して前記一対の基板間に挟まれてなるツイステッドネマティック型の液晶セルと、この液晶セルの入射光側に配置され、かつその透過軸が前記液晶セルの入射光側の配向処理方向と平行な方向に向いた第１偏光板と、この第１偏光板と前記液晶セルの間に配置された第１の位相板と、前記液晶セルの出射光側に配置され、かつその透過軸が前記第１偏光板の透過軸とほほ直交する第２偏光板と、この第２偏光板と前記液晶セルとの間に配置された第２位相板とを具備し、
　前記第１位相板は、その遅相軸が隣接する前記第１偏光板の透過軸の方向とほぼ一致する方向に配置され、前記第２位相板は、その遅相軸が隣接する前記第２偏光板の透過軸の方向とほほ直交する方向に配置されている」液晶表示装置は、上記甲第１号証〜甲第４号証に記載も示唆もされていないし、当業者に周知又は自明のものでもない。
　そして、本件発明1〜3の液晶表示装置は、「一対の基板間に充填された液晶材料の液晶分子が、光の入射側の基板から見て左回転方向にほぼ９０°ツイストして配向された液晶層を形成して前記一対の基板間に挟まれてなるツイステッドネマティック型の液晶セルと、この液晶セルの入射光側に配置され、かつその透過軸が前記液晶セルの入射光側の配向処理方向と平行な方向に向いた第１偏光板と、この第１偏光板と前記液晶セルの間に配置された第１の位相板と、前記液晶セルの出射光側に配置され、かつその透過軸が前記第１偏光板の透過軸とほほ直交する第２偏光板と、この第２偏光板と前記液晶セルとの間に配置された第２位相板とを具備し、
　前記第１位相板は、その遅相軸が隣接する前記第１偏光板の透過軸の方向とほぼ一致する方向に配置され、前記第２位相板は、その遅相軸が隣接する前記第２偏光板の透過軸の方向とほほ直交する方向に配置されている」ことにより、液晶セルの法線方向から観察したコントラストが高く、斜め方向から観察したときのコントラストの低下を防止して視野角特性を向上させるという作用効果を呈するものである。
　したがって、本件発明1〜3は、上記甲第1号証〜甲第４号証に記載されたに等しい発明であるとも、若しくは、上記甲第1号証〜甲第４号証に記載された発明に基づいて当業者が容易に発明をすることができたものともすることができないから、特許法第29条第1項第3号に該当して、若しくは、同法同条第2項の規定に違反して特許されたものとすることができない。
　オ．むすび
  以上のとおり、異議申立の理由及び証拠によっては、本件発明1〜3についての特許を取り消すことができない。
　また、他に本件発明1〜3についての特許を取り消すべき理由を発見しない。
　よって、結論のとおり決定する。
【異議決定日】
平成１３年７月１１日（２００１．７．１１）
【訂正の要旨】
　訂正の要旨
　▲１▼訂正事項ａ
　願書に最初に添付した明細書の特許請求の範囲の記載を
　「【請求項１】
　一対の基板間に充填された液晶材料の液晶分子が
、光の入射側の基板から見て左回転方向に
透過
平行な
透過
透過
　前記第１位相板は、その
遅相軸が
の透過
、前記第２位相板は、その遅相軸が隣接する前記第２偏光板の透過軸の方向とほぼ直交する方向に配置され
　【請求項２】
　前記第１位相板および第２位相板のΔｎｄの値は、それぞれ前記液晶セルのΔｎｄの値に０．８５〜０．９５を乗じた値の範囲であることを特徴とする請求項１に記載の液晶表示装置。
　【請求項３】
　前記液晶セルのΔｎｄの値は、ほぼ３５０ｎｍ乃至４００ｎｍであることを特徴とする請求項１に記載の液晶表示装置。」
　と訂正する。
　▲２▼　訂正事項ｂ
　願書に最初に添付した明細書の段落番号【０００６】の記載を、下記のとおりに訂正する。
　記
　「【０００６】
　【課題を解決するための手段】
　この発明は、上記目的を達成するため、一対の基板間に充填された液晶材料の液晶分子が
、光の入射側の基板から見て左回転方向に
透過
平行な
透過
透過
前記第１位相板は、その
遅相軸が
の透過
、前記第２位相板は、その遅相軸が隣接する前記第２偏光板の透過軸の方向とほぼ直交する方向に配置され
（５４）【発明の名称】
液晶表示装置
（５７）【特許請求の範囲】
　【請求項１】　一対の基板間に充填された液晶材料の液晶分子が
、光の入射側の基板から見て左回転方向に
透過
平行な
透過
透過
　前記第１位相板は、その
遅相軸が
の透過
、前記第２位相板は、その遅相軸が隣接する前記第２偏光板の透過軸の方向とほぼ直交する方向に配置され
　【請求項２】　前記第１位相板および第２位相板のΔｎｄの値は、それぞれ前記液晶セルのΔｎｄの値に０．８５〜０．９５を乗じた値の範囲であることを特徴とする請求項１に記載の液晶表示装置。
　【請求項３】　前記液晶セルのΔｎｄの値は、ほぼ３５０ｎｍ乃至４００ｎｍであることを特徴とする請求項１に記載の液晶表示装置。
【発明の詳細な説明】
　【０００１】
　【産業上の利用分野】
　この発明はツイステッドネマティック型液晶表示装置の視野角特性の改善に関する。
　【０００２】
　【従来の技術】
　液晶表示装置には、液晶を介して対向するストライプ状の複数の電極を互いに交差するように配置させ、これらの交差する複数の部分で複数の画素を形成する単純マトリックス型と、駆動用の薄膜トランジスタがそれぞれ接続された複数の画素電極を設け、この画素電極と対向電極とが対向する部分で複数の画素を形成するアクティブマトリックス型が提案されている。
　これらの液晶表示装置のうち、ワードプロセッサやパーソナルコンピュータ等のディスプレイ用としては、薄膜トランジスタ（以下、ＴＦＴという）を備えたツイステッドネマティック型（以下、ＴＮという）の液晶表示装置が使用されている。このＴＦＴを備えたＴＮ型の液晶表示装置（以下、ＴＦＴ−ＬＣＤという）は、各画素電極毎に駆動用のＴＦＴを備えたＴＮ液晶セルと、透過軸が液晶セルの光入射側の基板のラビング方向と平行になるように前記液晶セルの光入射側に配置された偏光子と、透過軸が偏光子の透過軸とほぼ直交するように前記液晶セルの光出射側に配置された検光子とから構成されている。この従来のＴＦＴ−ＬＣＤはスタティック的に駆動することができるので、コントラストが高く、視野角も比較的広い。
　【０００３】
　このような従来の液晶表示装置の視野角特性を図１２に、その電圧−輝度特性を図１３に、そして表示色の変化を図１４にそれぞれ示した。この図１２は、等コントラスト曲線を示すものであり、５つの同心円が内側から外側に向かって順に液晶表示装置の法線に対して１０°、２０°、３０°、４０°、５０°の角度で傾いた方向を表している。また、この等コントラスト曲線は、液晶セルの入射光側基板のラピング方向Ａを基準（０°）とし、液晶セルの入射光側から見て右回り（図では左回り）を正として各方向で観察したコントラストを表している。そして、点線はコントラストが１００を表し、１点鎖線はコントラストが５０を表し、実線はコントラストが１０を表し、２点鎖線はコントラストが１未満、すなわち表示の明暗が反転することを表している。なお、コントラストの測定に当ってはＣ光源を用い、コントラストの値は透過光のＹ値の比で定義され、正面コントラストを約１００とした。
　【０００４】
　この等コントラスト曲線に示されるように、従来の液晶表示装置では、高いコントラストが得られる方向（視角方向）が光入射側の基板に形成された配向膜のラビング方向から３１５°の方向Ｖにある。よって、ＴＦＴ−ＬＣＤは、この方向Ｖを液晶セルの上下方向に一致させている。このＴＦＴ−ＬＣＤは、１点鎖線で囲まれたコントラスト５０以上の領域が比較的広く、また実線で囲まれたコントラスト１０以上の領域も比較的広く、従来の単純マトリックス型液晶表示装置に比べて視野角特性がよい。
　【０００５】
　【発明が解決しようとする課題】
　しかしながら、上述した従来の液晶表示装置では、図１２に示されているように、表示装置の左右方向の視野角は比較的広いが、上下方向の視野角が狭いという欠点があった。また、従来の液晶表示装置は、この液晶表示装置を上方から観察した方向に、図１２に示すように２点鎖線で囲まれたコントラスト１未満の領域が比較的広い範囲で存在する。このコントラストが１未満の領域は、表示する画像の明暗が反転する領域（以下、反転領域という）である。この反転領域があると、液晶表示装置の正面より上方へ４０°乃至５０°傾けた方向から観察したときに、画像の濃淡が反転したネガ画像のように見えることであり、液晶表示装置の表示品質を著しく低下させる。
　この発明は、上述した事情に鑑みてなされたものであり、その目的とするところは、視野角を改善することのできる液晶表示装置を提供することにある。
　【０００６】
　【課題を解決するための手段】
　この発明は、上記目的を達成するため、一対の基板間に充填された液晶材料の液晶分子が
、光の入射側の基板から見て左回転方向に
透過
平行な
透過
透過
前記第１位相板は、その
遅相軸が
の透過
、前記第２位相板は、その遅相軸が隣接する前記第２偏光板の透過軸の方向とほぼ直交する方向に配置され
　【０００７】
　【作用】
　この発明によれば、液晶セルと入射光側の第１偏光板との間に第１位相板を配置し、液晶セルと出射光側の第２偏光板との間に第２位相板を配置し、これら２枚の位相板の遅相軸またはこれと直交する進相軸をそれぞれ隣接する第１偏光板および第２偏光板の偏光軸の方向とほぼ一致させたので、液晶セルの法線方向から観察したコントラストが高く、かつ電圧を印加したときの透過率の変化の急峻性が良く、しかも液晶セルの法線方向に透過する光と斜め方向に透過する光の液晶セルのΔｎｄの違いを補償し、斜め方向から観察したときのコントラストの低下を防止して視野角特性が向上する。この場合、液晶セルのΔｎｄの値が３５０ｎｍ乃至４００ｎｍであるとき、位相板のΔｎｄの値は液晶セルのΔｎｄの値に０．８５〜０．９５を乗じた値の範囲であることが望ましい。
　【０００８】
　【実施例】
　以下、図１〜図３を参照して、この発明の一実施例を説明する。
　図１において、透明なガラスなどからなる上基板１と下基板２とは、所定の間隔を隔てて対向配置されている。上基板１の下面には透明な共通電極３が形成されており、この共通電極３の表面および前記上基板１の表示領域には第１配向膜４が形成されている。下基板２の上面には複数の透明な画素電極５がマトリックス状に配列されており、この画素電極５にはそれぞれ下基板２上に形成された薄膜トランジスタ（ＴＦＴ）６が接続されている。このＴＦＴ６は、ソース電極が画素電極５に接続され、ゲート電極が下基板２上に形成されたゲートラインに接続され、またドレイン電極が下基板２に形成されたデータラインにそれぞれ接続されている。これらの画素電極５、ＴＦＴ６、ゲートラインおよびデータラインは第２配向膜７で覆われており、この第２配向膜７は下基板２の少なくとも表示領域に形成されている。
　【０００９】
　下基板２の第２配向膜７と上基板１の第１配向膜４とは、図２に示すように、それぞれ所定の方向に配向処理が施されている。第２配向膜７は下基板２の右手前方向の第１配向処理方向Ａ０に向かってラビング処理が施されており、第１配向膜４は上基板１の右上方向の第２配向処理方向Ｂに向かってラビング処理が施されている。これら第１配向処理方向Ａ０と第２配向処理方向Ｂとは、ほぼ９０°の角度で交差している。
　【００１０】
　共通電極３が形成された上基板１と、画素電極５が形成された下基板２とは、所定の間隔を隔ててシール材８により相互に接合されている。そして、上基板１、下基板２、およびシール材８で囲われた領域には、液晶材料９が充填されている。これにより、第１配向膜４と第２配向膜７との間には液晶層が形成され、下基板２と上基板１との問に挟まれた液晶層とにより液晶セル１０が形成されている。
　【００１１】
　液晶材料９は、誘電率比Δε／ε｜の値が２．４４、弾性定数比Ｋ３／Ｋ１の値が１．４３およびＫ３／Ｋ２の値が２．５０である物理的特性をもった液晶であり、その屈折率異方性Δｎと層厚ｄとの積Δｎｄ（リタデーシヨン）の値は４５０ｎｍ〜５５０ｎｍの範囲に設定されている。この液晶材料９の液晶分子は、第１配向膜４の第１配向処理方向Ａ０と第２配向膜７の第２配向処理方向Ｂとがほぼ９０°異なっているため、下基板２の第１配向処理方向Ａ０から上基板１の第２配向処理方向Ｂに向かって、左回りにほぼ９０°ねじれて配列されている。この場合のｄ／ｐの値は約０．０５に設定されており、液晶分子のブレチルト角は約１°である。
　【００１２】
　液晶セル１０の下基板２の外側（入射光側）には直線偏光板からなる偏光子（第１偏光板）１１が設けられ、液晶セル１０の上基板１の外側（出射光側）には直線偏光板からなる検光子（第２偏光板）１２が設けられている。液晶セル１０と偏光子１１の間には第１位相板１３が配置され、液晶セル１０と検光子１２との間には第２位相板１４が配置されている。偏光子１１は、その偏光軸、例えば透過軸Ｐ１が第１配向処理方向Ａ０とほぼ平行に配設されている。検光子１２は、その偏光軸、例えば透過軸Ｐ２が偏光子１１の透過軸Ｐ１と直交するように配設されている。第１位相板１３はその遅相軸Ｒ１が第１配向処理方向Ａ０と平行または直交するように配設されている。第２位相板１４はその遅相軸Ｒ２が第１配向処理方向Ａ０と平行または直交するように配設されている。これらの位相板１３、１４は、同一の位相差をもつように形成され、その位相差Δｎｄの値は３００ｎｍ〜４００ｎｍの範囲に設定されている。そして、これらの位相板１３、１４は同一の材料、例えばポリカーボネート（ＰＣ）もしくはボリピニルアルコール（ＰＶＡ）を用いてトリアセチルセルロース等の保護膜で挟んだ構造となっている。
　【００１３】
　この液晶表示装置のように、液晶セル１０を第１と第２の位相板１３、１４で挟み、第１と第２の位相板１３、１４が隣接しないように配置した場合、第１および第２の位相板１３、１４の各遅相軸Ｒ１、Ｒ２を互いに平行または直交させて配置し、かつ第１の位相板１３の遅相軸Ｒ１を液晶セル１０の第１配向処理方向Ａ０と平行または直交するように配置したとき、液晶セル１０の法線方向から観察したコントラストが高く、かつ電圧を印加したときの透過率の変化の急峻性が良い。しかも、液晶セル１０の法線方向に透過する光と斜め方向に透過する光の液晶セル１０のΔｎｄの違いを補償し、斜め方向から観察したときのコントラストの低下を防止して視野角特性が向上する。
　【００１４】
　ところで、以上のような構成の液晶表示装置において、液晶層のΔｎｄの値を５１０ｎｍ（５８９ｎｍの波長光で測定した値）、位相板１３、１４のΔｎｄの値を３５０ｎｍ（５８９ｎｍの波長光で測定した値）とし、第１の位相板１３の遅相軸Ｒ１が液晶セル１０の第１配向処理方向Ａ０に対して平行または直交するように配置するとともに、第２の位相板１４の遅相軸Ｒ２が液晶セル１０の第１配向処理方向Ａ０に対して平行または直交するように配置した合計４通りの場合の各方向から観察したコントラストを測定した。その結果を図３（Ａ）〜図３（Ｄ）にそれぞれ等コントラスト曲線図で示す。この図３（Ａ）〜図３（Ｄ）では、図１２に示す従来例の場合と同様に、５つの同心円が内側から外側に向かって順に液晶表示装置の法線に対して１０°、２０°、３０°、４０°、５０°の角度で傾いた方向を表し、また液晶セル１０の第１配向処理方向Ａ°を基準（０°）とし、液晶セル１０の入射光側から見て右回り（図では左回り）を正として各方向で観察したコントラストを表している。そして、点線はコントラスト１００を表し、１点鎖線はコントラスト５０を表し、実線はコントラスト１０を表し、２点鎖線はコントラスト１未満すなわち表示の明暗が反転することを表している。なお、コントラストの測定に当ってはＣ光源を用い、コントラストの値は透過光のＹ値の比で定義し、正面コントラストを約１００とした。
　【００１５】
　さて、図３（Ａ）は、第１配向処理方向Ａ０に対して第１および第２の位相板１３、１４の各遅相軸Ｒ１、Ｒ２を共に平行に配置した場合の等コントラスト曲線を示す。この場合には、図１２に示す従来例と比較して、明暗が反転する反転領域が現われず、また実線で囲まれたコントラスト１０以上の領域がほぼ同じであり、視野角特性が改善されている。
　図３（Ｂ）は、第１配向処理方向Ａ０に対して第１の位相板１３の遅相軸Ｒ１を平行に配置するとともに、第２の位相板１４の遅相軸Ｒ２を直交させて配置した場合の等コントラスト曲線を示す。この場合には、図１２に示す従来例と比較して、反転領域が現われず、また実線で囲まれたコントラスト１０以上の領域が液晶セル１０の左右方向に広くなっており、視野角特性が改善されている。
　図３（Ｃ）は、第１配向処理方向Ａ０に対して第１および第２の位相板１３、１４の各遅相軸Ｒ１、Ｒ２を共に直交させて配置した場合の等コントラスト曲線を示す。この場合は、図３（Ａ）の等コントラスト曲線が液晶セル１０の垂直線に対してほぼ鏡映対称となって現われる。したがって、図３（Ａ）に示す場合と同様に、反転領域が現われず、また実線で囲まれたコントラスト１０以上の領域がほぼ同じであり、視野角特性が改善されている。
　図３（Ｄ）は、第１配向処理方向Ａ０に対して第１の位相板１３の遅相軸Ｒ１を直交させて配置するとともに、第２の位相板１４の遅相軸Ｒ２を平行に配置した場合の等コントラスト曲線を示す。この場合には、図１２に示す従来例と比較して、実線で囲まれたコントラスト１０以上の領域が全体的にやや狭くなり、また液晶セル１０の下方に２点鎖線で囲まれた反転領域が小さく現われているものの、その反転領域は狭いので、視野角特性が改善されている。
　【００１６】
　上述したように、第１の位相板１３の遅相軸Ｒ１を第１配向処理方向Ａ０に対して平行または直交に配置するとともに、第２の位相板１４の遅相軸Ｒ２を第１配向処理方向Ａ０に対して平行または直交に配置すると、液晶表示装置の上下方向に現われる反転領域を極めて小さくすることができるか、あるいは反転領域が全く現われないようにすることができ、視野角特性が改善される。
　【００１７】
　ところで、第１および第２の位相板１３、１４を上述したように配置させた各場合について、電気光学特性とオンおよびオフ状態における透過光の着色の度合について測定した結果を図４〜図７に示した。
　図４（Ａ）および図４（Ｂ）はそれぞれ図３（Ａ）に対応する液晶表示装置における印加電圧に対する透過率の関係およびその透過光のＣＩＥ色度図、図５（Ａ）および図５（Ｂ）はそれぞれ図３（Ｂ）に対応する液晶表示装置における印加電圧に対する透過率の関係およびその透過光のＣＩＥ色度図、図６（Ａ）および図６（Ｂ）はそれぞれ図３（Ｃ）に対応する液晶表示装置における印加電圧に対する透過率の関係およびその透過光のＣＩＥ色度図、図７（Ａ）および図７（Ｂ）はそれぞれ図３（Ｄ）に対応する液晶表示装置における印加電圧に対する透過率の関係およびその透過光のＣＩＥ色度図である。これに対して、図１３および図１４はそれぞれ図１２に示した従来の液晶表示装置における印加電圧に対する透過率の関係およびその透過光のＣＩＥ色度図を示している。
　【００１８】
　これらの図から明らかなように、位相板を用いた実施例の液晶表示装置の場合、液晶セル１０を駆動したときのオン状態の透過率が高く、また印加電圧に対する透過率の変化が急峻である。しかも、ＣＩＥ色度図で示すようにオン状態ではほぼ無彩色点にあり、オフ状態でも着色の度合は極くわずかである。よって、この実施例によれば、電圧印加に対する透過率変化の急峻性に優れ、かつ着色のない白黒表示が得られる。
　【００１９】
　つぎに、図２に示す構成の液晶表示装置において、液晶層のΔｎｄの値を３６０ｎｍ（５８９ｎｍの波長光で測定した値）、位相板１３、１４のΔｎｄの値を３００ｎｍ、３５０ｎｍおよび４００ｎｍ（５８９ｎｍの波長光で測定した値）とし、第１および第２の位相板１３、１４の各遅相軸Ｒ１、Ｒ２が第１配向処理方向Ａ０に対して平行または直交するように配置した場合の各方向から観察したコントラストの測定結果を図８〜図１０に示した。
　【００２０】
　図８（Ａ）は位相板１３、１４のΔｎｄの値が３００ｎｍで、第１配向処理方向Ａ０に対して第１および第２の位相板１３、１４の各遅相軸Ｒ１、Ｒ２を共に平行するように配置した場合の等コントラスト曲線図、図８（Ｂ）は位相板１３、１４のΔｎｄの値が３００ｎｍで、第１配向処理方向Ａ０に対して、第１の位相板１３の遅相軸Ｒ１を平行するように配置するとともに、第２の位相板１３の遅相軸Ｒ２を直交するように配置した場合の等コントラスト曲線図、図８（Ｃ）は位相板１３、１４のΔｎｄの値が３００ｎｍで、第１配向処理方向Ａ０に対して、第１の位相板１３の遅相軸Ｒ１を直交するように配置するとともに、第２の位相板１４の遅相軸Ｒ２を平行するように配置した場合の等コントラスト曲線図である。
　【００２１】
　図９（Ａ）は位相板１３、１４のΔｎｄの値が３５０ｎｍで、第１配向処理方向Ａ０に対して、第１および第２の位相板１３、１４の各遅相軸Ｒ１、Ｒ２を共に平行するように配置した場合の等コントラスト曲線図、図９（Ｂ）は位相板１３、１４のΔｎｄの値が３５０ｎｍで、第１配向処理方向Ａ０に対して、第１の位相板１３の遅相軸Ｒ１を平行するように配置するとともに、第２の位相板１４の遅相軸Ｒ２を直交するように配置した場合の等コントラスト曲線図、図９（Ｃ）は位相板１３、１４のΔｎｄの値が３５０ｎｍで、第１配向処理方向Ａ０に対して、第１の位相板１３の遅相軸Ｒ１を直交するように配置するとともに、第２の位相板１４の遅相軸Ｒ２を平行するように配置した場合の等コントラスト曲線図である。
　【００２２】
　図１０（Ａ）は位相板１３、１４のΔｎｄの値が４００ｎｍで、第１配向処理方向Ａ０に対して、第１および第２の位相板１３、１４の各遅相軸Ｒ１、Ｒ２を共に平行するように配置した場合の等コントラスト曲線図、図１０（Ｂ）は位相板１３、１４のΔｎｄの値が４００ｎｍで、第１配向処理方向Ａ０に対して、第１の位相板１３の遅相軸Ｒ１を平行するように配置するとともに、第２の位相板１４の遅相軸Ｒ２を直交するように配置した場合の等コントラスト曲線図、図１０（Ｃ）は位相板１３、１４のΔｎｄの値が４００ｎｍで、第１配向処理方向Ａ０に対して、第１の位相板１３の遅相軸Ｒ１を直交するように配置するとともに、第２の位相板１４の遅相軸Ｒ２を平行するように配置した場合の等コントラスト曲線図である。
　【００２３】
　なお、位相板１３、１４のΔｎｄの値が３００ｎｍ、３５０ｎｍ、４００ｎｍのいずれであっても、第１配向処理方向Ａ０に対して、第１および第２の位相板１３、１４の各遅相軸Ｒ１、Ｒ２を共に直交するように配置した場合には、図８（Ａ）、図９（Ａ）、図１０（Ａ）の各コントラスト曲線が図面上の垂直線に対してほぼ鏡映対称となって現われるので、図示を省略した。また、この場合の液晶の液晶の物理的特性は、誘電率比Δε／ε｜の値が１．２５、弾性定数比Ｋ３／Ｋ１の値が１．５７およびＫ３／Ｋ２の値が２．３０である。また、図８〜図１０において、３点鎖線はコントラスト１５０を表している。
　【００２４】
　これらの図から明らかなように、図１２に示す従来例と比較して、いずれの場合でも、液晶表示装置の上下方向に現われる反転領域を極めて小さくすることができるか、あるいは反転領域が全く現われないようにすることができ、視野角特性が改善される。また、図８（Ａ）、図９（Ａ）、図９（Ｃ）、図１０（Ａ）、および図１０（Ｃ）の場合には、１点鎖線で囲まれたコントラスト５０以上の領域が液晶表示装置の下方に広がり、図８（Ｂ）、図９（Ｂ）、図１０（Ｂ）の場合には、１点鎖線で囲まれたコントラスト５０以上の領域が液晶表示装置の左右方向に広がっており、これによっても視野角特性が改善される。また、位相板１３、１４のΔｎｄの値に着目すると、位相板のΔｎｄの値が大きい程コントラストの高い領域が広くなっている。したがって、位相板１３、１４のΔｎｄの値は大きい方が好ましく、その値は３００ｎｍ〜６００ｎｍの範囲であるのが望ましい。また、液晶セル１０のΔｎｄの値は３５０ｎｍ〜７００ｎｍの範囲にあるのが好ましく、特にその値が小さい方が視野角特性が良くなる。したがって、液晶セル１０のΔｎｄの値は５５０ｎｍ以下が好ましく、特に３６０ｎｍ程度であるのが望ましい。
　【００２５】
　また、図３（Ｂ）に関して記述した位相板１３、１４の配置において、液晶層のΔｎｄの値を３５０ｎｍ〜４００ｎｍとし、位相板１３、１４のΔｎｄの値を３００ｎｍ〜３８０ｎｍとした場合、図１１に示すように、液晶表示装置の上下方向の視野角が広くなる。よって、図３（Ｂ）に関して記述した位相板１３、１４の配置においては、位相板１３、１４のΔｎｄの値が液晶層のΔｎｄの値に０．８５〜０．９５を乗じた値の範囲にするのが望ましい。
　【００２６】
　【発明の効果】
　以上説明したように、この発明によれば、液晶セルと入射光側の第１偏光板との間に第１位相板を配置し、液晶セルと出射光側の第２偏光板との間に第２位相板を配置し、これら２枚の位相板の遅相軸またはこれと直交する進相軸をそれぞれ隣接する第１偏光板および第２偏光板の偏光軸の方向とほぼ一致させたので、液晶セルの法線方向から観察したコントラストが高く、かつ電圧を印加したときの透過率の変化の急峻性が良くなり、しかも液晶セルの法線方向に透過する光と斜め方向に透過する光の液晶セルのΔｎｄの違いを補償することができ、斜め方向から観察したときのコントラストの低下を防止して視野角特性を向上させることができる。
【図面の簡単な説明】
　【図１】
　この発明の実施例の構造を表す断面図。
　【図２】
　図１の液晶表示装置を表す概略構成図。
　【図３】
　（Ａ）〜（Ｄ）は位相板の遅相軸の設置角度が異なる場合のそれぞれの視野角特性を表す等コントラスト曲線図。
　【図４】
　（Ａ）および（Ｂ）は図３（Ａ）の位相板設置角度をもった液晶表示装置の電圧−輝度特性および透過光のＣＩＥ色度図。
　【図５】
　（Ａ）および（Ｂ）は図３（Ｂ）の位相板設置角度をもった液晶表示装置の電圧−輝度特性および透過光のＣＩＥ色度図。
　【図６】
　（Ａ）および（Ｂ）は図３（Ｃ）の位相板設置角度をもった液晶表示装置の電圧−輝度特性および透過光のＣＩＥ色度図。
　【図７】
　（Ａ）および（Ｂ）は図３（Ｄ）の位相板設置角度をもった液晶表示装置の電圧−輝度特性および透過光のＣＩＥ色度図。
　【図８】
　（Ａ）〜（Ｃ）はこの実施例の液晶表示装置において、Δｎｄの値が３００ｎｍの位相板を用いたとき、この位相板の遅相軸の設置角度が異なる場合のそれぞれの視野角特性を表す等コントラスト曲線図。
　【図９】
　（Ａ）〜（Ｃ）はこの実施例の液晶表示装置において、Δｎｄの値が３５０ｎｍの位相板を用いたとき、この位相板の遅相軸の設置角度が異なる場合のそれぞれの視野角特性を表す等コントラスト曲線図。
　【図１０】
　（Ａ）〜（Ｃ）はこの実施例の液晶表示装置において、Δｎｄの値が４００ｎｍの位相板を用いたとき、この位相板の遅相軸の設置角度が異なる場合のそれぞれの視野角特性を表す等コントラスト曲線図。
　【図１１】
　この実施例の液晶表示装置において、位相板のΔｎｄの値が、液晶層のΔｎｄの値に０．８５〜０．９５を乗じた値であるときの視野角特性を表す等コントラスト曲線図。
　【図１２】
　従来の液晶表示装置における視野角特性を表す等コントラスト図。
　【図１３】
　図１２の液晶表示装置の電圧−輝度特性図。
　【図１４】
　図１２の液晶表示装置の表示色の変化を表すＣＩＥ色度図。
　【符号の説明】
　９　液晶材料
　１０　液晶セル
　１１　偏光子
　１２　検光子
　１３　第１の位相板
　１４　第２の位相板